(57)【要約】【課題】発光層を有してなるフレキシブルディスプレイであって、コントラストが高くかつ可撓性を有したフレキシブルディスプレイを提供する。【解決手段】発光層を有してなるフレキシブルディスプレイにおいて、背面側に反射面を有し、出射面側に円偏光機能を有する前面板を有し、該前面板が厚み２００μｍ以下であることを特徴とするフレキシブルディスプレイ。前面板が、直線偏光板およびλ／４位相差板からなり、出射面側から直線偏光板、λ／４位相差板の順に配置されてなるかまたは、前面板が、直線偏光板、λ／４位相差板および円偏光分離板からなり、出射面側から直線偏光板、λ／４位相差板、円偏光分離板の順に配置されてなる上記記載のフレキシブルディスプレイ。【選択図】          図７
2004361774.tif 000002
【特許請求の範囲】
【請求項１】
発光層を有してなるフレキシブルディスプレイにおいて、背面側に反射面を有し、出射面側に円偏光機能を有する前面板を有し、該前面板が厚み２００μｍ以下であることを特徴とするフレキシブルディスプレイ。
【請求項２】
前面板が、直線偏光板およびλ／４位相差板からなり、出射面側から直線偏光板、λ／４位相差板の順に配置されてなる請求項１記載のフレキシブルディスプレイ。
【請求項３】
前面板が、直線偏光板、λ／４位相差板および円偏光分離板からなり、出射面側から直線偏光板、λ／４位相差板、円偏光分離板の順に配置されてなる請求項１記載のフレキシブルディスプレイ。
【請求項４】
λ／４位相差板の遅相軸と前記直線偏光板の透過軸とが４５°±１°の角度範囲で交差するように配置されてなる請求項２または３記載のフレキシブルディスプレイ。
【請求項５】
出射面側から前面板、フィルム基板、透明電極、発光層、反射面の順に配置されてなる請求項２〜４のいずれかに記載のフレキシブルディスプレイ。
【請求項６】
出射面側からフィルム基板、前面板、透明電極、発光層、反射面の順に配置されてなる請求項２〜４のいずれかに記載のフレキシブルディスプレイ。
【請求項７】
出射面側から前面板、透明電極、発光層、反射面の順に配置されてなる請求項２〜４のいずれかに記載のフレキシブルディスプレイ。
【発明の詳細な説明】
【０００１】
【発明の属する技術分野】
本発明は、発光層を有してなるフレキシブルディスプレイに関する。
【０００２】
【従来の技術】
発光層を有してなるフレキシブルディスプレイは、軽量で薄いのみならず可撓性を有するので、平面ではない面への設置が可能であり、また、破損しにくいので、携帯用機器への搭載が期待されている。
【０００３】
発光層を有してなるフレキシブルディスプレイは、従来は、ＩＴＯ薄膜等の透明導電性膜製の透明電極を備えた可撓性のある透明なフィルム基板と、アルミニウム等の金属製の背面電極との間に低分子有機ＥＬ層からなる発光層を挟んで構成されていた（例えば、特許文献１参照。）が、出射面側から入射した外部光が背面電極で反射してコントラストが下がる問題点があり、さらにコントラストの高いフレキシブルディスプレイが求められていた。
【０００４】
【特許文献１】
特開２００３−１２５３１５号公報
【０００５】
【発明が解決しようとする課題】
本発明の目的は、発光層を有してなるフレキシブルディスプレイであって、コントラストが高くかつ可撓性を有したフレキシブルディスプレイを提供することにある。
【０００６】
本発明者は、前記課題を解決するために、発光層を有してなるフレキシブルディスプレイの構成について鋭意検討を重ねた結果、背面側に反射面を配置して、発光層から背面側に出た光を反射して発光光の輝度を向上させ、出射面側に円偏光機能を有する前面板を配置して、反射面で反射した外部光を遮り、該前面板を一定以下の厚みとすることにより、該フレキシブルディスプレイはコントラストが高くかつ可撓性を有したフレキシブルディスプレイとなることを見出し、本発明を完成させるに到った。
【０００７】
すなわち本発明は、発光層を有してなるフレキシブルディスプレイにおいて、背面側に反射面を有し、出射面側に円偏光機能を有する前面板を有し、該前面板が厚み２００μｍ以下であることを特徴とするフレキシブルィスプレイを提供する。
【０００８】
【発明の実施の形態】
本発明のフレキシブルディスプレイは、発光層を有してなるフレキシブルディスプレイであって、背面側に反射面を有し、出射面側に円偏光機能を有する前面板を有し、該前面板が厚み２００μｍ以下であるものである。
以下に、本発明のフレキシブルディスプレイの各構成要素について説明する。
【０００９】
発光層から出た光の半分は出射面側に出るが、半分は背面側に出る。そこで、本発明のフレキシブルディスプレイにおいては、背面側に反射面を配置し、発光層から背面側に出た光を反射させ、光を出射面側に向けることにより発光光の輝度を向上させている。反射面は光を反射するアルミニウム、銀等の金属箔を配置することにより配置することもでき、また発光層に電圧を印加するための背面電極の表面を反射面とすることもできる。
【００１０】
しかしながら、背面側に反射面を配置しただけでは、出射面側から入射した外部光が反射面で反射し、発光光が出ていないときにおいても出射光が存在することになり、コントラストを低下させる。そこで、本発明のフレキシブルディスプレイは、円偏光機能を有する前面板を設置することにより、反射面で反射して出射面から出射する外部光を遮り、コントラストを向上させる構成とした。円偏光機能を有する前面板は、直線偏光板とλ／４位相差板とを積層することにより構成することができる。ただし、出射面側が直線偏光板であり、反射板側がλ／４位相差板とすることが好ましい。
【００１１】
前記直線偏光板としては、これに入射する光のうちある特定の直線偏光だけを透過させるという直線偏光の機能を有する板であれば特に限定されず、具体的には、一軸延伸されたポリビニルアルコールフィルムにヨウ素、二色性染料等の二色性色素が吸着配向されてなる偏光子フィルム等を挙げることができる。この偏光子フィルムの片面又は両面には、トリアセチルセルロース、ジアセチルセルロース等のセルロース樹脂からなるフィルムが積層されていても良い。この直線偏光板の厚さは、好ましくは１８０μｍ以下であり、より好ましくは１００μｍ以下、さらに好ましくは８０μｍ以下である。直線偏光板の厚みが１８０μｍを超える場合、フレキシブルディスプレイの可撓性が損なわれるので好ましくない。また、厚さの下限は直線偏光板が十分な直線偏光性能を有する限り特に限定されるものではないが、通常４０μｍ以上である。
【００１２】
前記λ／４位相差板としては、これに入射する光のうち特定の直線偏光を円偏光に変換して透過させ、前記直線偏光と垂直方向の直線偏光を、前記円偏光とは逆向き回りの円偏光に変換して透過させるという円偏光の機能を有する板であれば特に限定されず、具体的には、例えばポリビニルアルコール、ポリカーボネート、ノルボルネン樹脂等からなり延伸されたフィルムが挙げられる。このλ／４位相差板の厚さは、好ましくは１２０μｍ以下であり、より好ましくは８０μｍ以下、さらに好ましくは４０μｍ以下である。λ／４位相差板の厚みが１２０μｍを超えると、フレキシブルディスプレイの可撓性が損なわれるので好ましくない。また、厚さの下限は十分な位相差性能を有する限り特に限定されるものではないが、通常１０μｍ以上である。
【００１３】
本発明のフレキシブルディスプレイに用いることができる前面板は、直線偏光板とλ／４位相差板に加えて、円偏光分離板が積層されてなる構成とすることもできる。ただし、出射面側から直線偏光板、λ／４位相差板、円偏光分離板の順に配置されていることが好ましい。この円偏光分離板は、所定の円偏光（右円偏光または左円偏光のいずれか一方）をそのまま透過する一方、逆回りの向きの円偏光は円偏光のまま反射する（反射された光の円偏光の回りの向きは、同一方向から見て同一である。）機能を有したものであり、円偏光分離板を構成する材料としては、具体的には、コレステリック液晶等を挙げることができる。この円偏光分離板の厚さは、好ましくは８０μｍ以下であり、より好ましくは５０μｍ以下、さらに好ましくは１０μｍ以下である。円偏光分離板の厚みが８０μｍを超える場合、フレキシブルディスプレイの可撓性が損なわれるので好ましくない。また、厚さの下限は十分な円偏光分離性能を有する限り特に限定されるものではないが、通常１μｍ以上である。
【００１４】
本発明におけるの前面板の厚みとは、直線偏光板とλ／４位相差板の各要素、あるいは直線偏光板、λ／４位相差板と円偏光分離板の各要素の厚みと、必要に応じて粘着層を含む前面板全体の厚みを指し、好ましくは２００μｍ以下、より好ましくは１８０μｍ以下、さらに好ましくは１６０μｍ以下である。２００μｍを超える場合、フレキシブルディスプレイの可撓性が損なわれるので好ましくない。また、厚さの下限は十分な偏光性能を有する限り特に限定されるものではないが、通常１００μｍ以上である。
【００１５】
前面板に直線偏光板とλ／４位相差板とを用いる場合には、λ／４位相差板の遅相軸と直線偏光板の透過軸とが４５°±１°の角度範囲で交差するように配置するのが好ましく、４５°±０．２°の角度範囲で交差するように配置するのがさらに好ましい。
【００１６】
また、前面板に直線偏光板、λ／４位相差板と円偏光分離板とを用いる場合には、円偏光分離板と直線偏光板との間にλ／４位相差板を配置すると共に、λ／４位相差板の遅相軸と直線偏光板の透過軸とが４５°±１°の角度範囲で交差するように配置するのが好ましく、該角度範囲は４５°±０．２°とすることがさらに好ましい。
【００１７】
本発明のフレキシブルディスプレイは、発光層に電圧を印加して発光させるための電極として通常は、背面側に背面電極を有する。背面電極の発光層側の面を反射面として用いることもできる。背面電極の材料は特に限定されないが、通常は例えば、アルミニウム、銀、金、カルシウム、バリウム等が用いられる。
【００１８】
さらに、本発明のフレキシブルディスプレイはフィルム基板を用いて構成することができる。フィルム基板としては、ＰＥＴ（ポリエチレンテレフタレート）、ＰＥＮ（ポリエチレンナフタレート）、ＰＣ（ポリカーボネート）、ＰＥＳ（ポリエーテルサルフォン）、ＰＩ（ポリイミド）等の透明な樹脂製フィルムにＩＴＯ等の透明電極を形成してなるフィルム、または樹脂とＳｉＯ２等の無機物とが複合化されたフィルムにＩＴＯ等の透明電極を形成してなるフィルムを用いることができる。また、通常これらのフィルム基板には、ガスバリア層、耐熱層、平坦化層等の層が積層される場合が多いが、その種類、構成についてはフレキシブルディスプレイの性能を実質的に損なわない限り特に限定するものではない。
【００１９】
また、フィルム基板は前面板と積層一体化されたものであってもよい。この場合は、例えば図３または図５に示したように、透明電極が発光層と前面板の間に配置される構成とすることが好ましい。
【００２０】
さらに、前記のように前面板に透明電極を付した場合、図４または図６に示したように、該前面板がフィルム基板を兼用するものであってもよい。この場合は前面板にガスバリア層、耐熱層、平坦化層等の各層を積層することができ、その種類、構成については、本発明の効果を妨げない限り特に限定されるものではない。
【００２１】
そして、本発明のフレキシブルディスプレイは、さらに発光層を有してなる。発光層の発光物質として、低分子有機ＥＬ用発光物質、高分子有機ＥＬ用発光物質、無機ＥＬ用発光物等を用いることができる。低分子有機ＥＬ用発光物質としては、ナフタレン誘導体、アントラセン誘導体、ペリレン誘導体等の低分子化合物、高分子有機ＥＬ用発光物質としては、ポリパラフェニレンビニレンおよびその誘導体、ポリフルオレンおよびその誘導体、これらの共重合体等の高分子化合物を挙げることができる。また、発光層には、キャリア注入またはキャリア移送の機能を有する化合物を前記高分子有機ＥＬ用発光物質またはそのモノマーと共重合してなる共重合体を用いることもでき、キャリア注入またはキャリア移送の機能を有する化合物を前記高分子有機ＥＬ用発光物質または前記低分子有機ＥＬ用発光物質と混合してなる組成物を用いることもできる。また、発光層は、前記発光物質からなる層にキャリア注入層、キャリア移送層を積層して構成することもできる。なお、本発明においては発光層とは、発光物質だけではなく、キャリア注入またはキャリア移送の機能を有する化合物等を含む層全体をいう。
【００２２】
透明電極としては、例えば、ＩＴＯ（酸化インジウム−酸化スズ固溶体）；酸化インジウム；酸化スズ；カドミウム、モリブデン等がドープされた酸化インジウム；アンチモン、フッ素等がドープされた酸化スズ等からなる透明電極を挙げることができる。電気抵抗が小さく、さらにパターン形成が容易である点で、ＩＴＯが好ましい。
【００２３】
以下に本発明に係るフレキシブルディスプレイの実施の形態を、図面を参照して説明するが、本発明は、図面により具体的に示した実施の態様に限定されるものではない。また、以下の説明において、透過率、外部光の反射率の具体的数値を記載して説明しているが、これらは作用機構の説明のために記載したものであって、本発明はこれら数値のものに何ら限定されるものではない。
【００２４】
まず、第１の実施の形態を、図１と図７を参照して説明する。図１に示されるフレキシブルディスプレイにおいて、（１ａ）は直線偏光板、（１ｂ）はλ／４位相差板、（４）は発光層、（５）は反射面を有する背面電極である。ＩＴＯ等の導電膜からなる透明電極（３）と背面電極（５）との間に発光層（４）が配置されると共に、前記透明電極（３）の出射面側にフィルム基板（２）が積層一体化されている。透明電極（３）と背面電極（５）間に所定の電圧を印加することにより、発光層（４）から発光が行われて所望の表示を形成し得るようになされている。
【００２５】
フィルム基板（２）の出射面側には、λ／４位相差板（１ｂ）が積層されると共に、該λ／４位相差板（１ｂ）の更に出射面側に直線偏光板（１ａ）が積層一体化されている。このような積層一体化を行うには、例えばアクリル系粘着剤等の透明で光学的に等方性の粘着剤を用いてこれらを貼合すれば良い。かかるλ／４位相差板（１ｂ）及び直線偏光板（１ａ）からなる前面板（１）はフィルム基板と離間して配置されていても良いが、光損失を防止する観点および厚みを抑制する観点から、その離間間隔は極力小さくするのが好ましく、特に好ましい実施の形態は基板と積層一体化する構成である。前記λ／４位相差板（１ｂ）の遅相軸と直線偏光板（１ａ）の透過軸とが４５°±１°の角度範囲で交差するように配置されている。
【００２６】
この第１実施形態のフレキシブルディスプレイにおける作用機構について図７を参照して説明する。まず、金属反射面（５）での光反射率を１００％とすると、図７（イ）に示すように、外部から入射する外部光は、直線偏光板（１ａ）によって５０％が直線偏光となって透過し、該直線偏光はλ／４位相差板（１ｂ）を通過して右円偏光となり、次いで、該右円偏光は反射面（５）でその全量が反射されて、反射時に円偏光の回りの向きが反転し、左円偏光（５０％）となり、該左円偏光はλ／４位相差板（１ｂ）を通過して直線偏光板（１ａ）の透過軸と垂直な直線偏光（５０％）となり、直線偏光板（１ａ）によって吸収され、結果的には入射光がすべて遮蔽されることとなる。即ち、外部光の反射面における反射率は０％と視認されることとなる。
【００２７】
一方、発光層（４）からの発光光は、図７（ロ）に示すように、λ／４位相差板（１ｂ）を通過して右円偏光（５０％）および左円偏光（５０％）となり、該左右円偏光は直線偏光板（１ａ）を通過して、該直線偏光板（１ａ）の透過軸と垂直な直線偏光成分（５０％）が吸収され、残りの該直線偏光板（１ａ）の透過軸と平行な偏光成分（５０％）が直線偏光板（１ａ）をそのまま透過する。即ち、発光光の５０％が出射面から取り出されることとなる。
【００２８】
このように、反射面（５）での光反射率が１００％とした場合には、理論的には、発光部（４）からの発光光、即ち表示光は５０％透過し、一方、外部光の反射光は全く出射しない。反射光を遮蔽しつつ表示光を５０％透過させ得るので、高いコントラストの表示を実現することができると共に、十分な表示輝度を確保できて明るい表示を実現できる。
【００２９】
次に、本発明のフレキシブルディスプレイの第２の実施の形態について、図２と図８を参照して説明する。図２に示されるフレキシブルディスプレイにおいて、（１ａ）は直線偏光板、（１ｂ）はλ／４位相差板、（１ｃ）は円偏光分離板、（４）は発光層、（５）は反射面を有する背面電極である。
【００３０】
前記第１の実施の形態の場合と同様に、ＩＴＯ等の導電膜からなる透明電極（３）と反射面を有する背面電極（５）との間に発光層（４）が配置されると共に、前記透明電極（３）の出射面側にフィルム基板（２）が積層一体化されており、透明電極（３）と背面電極（５）間に所定の電圧を印加することにより、発光層（４）より発光が行われて所望の表示を形成し得るようになされている。
【００３１】
前記フィルム基板（２）の出射面側には、円偏光分離板（１ｃ）が積層され、更にこの出射面側にλ／４位相差板（１ｂ）が積層されると共に、該λ／４位相差板（１ｂ）の更に出射面側に直線偏光板（１ａ）が積層一体化されている。このような積層一体化を行うには、例えばアクリル系粘着剤等の透明で光学的に等方性の粘着剤を用いてこれらを貼合すれば良い。かかる円偏光分離板（１ｃ）、λ／４位相差板（１ｂ）及び直線偏光板（１ａ）からなる前面板（１）はフィルム基板と離間して配置されていても良いが、光損失を防止する観点から、その離間間隔は極力小さくするのが好ましく、特に好ましい形態は基板と積層一体化する構成である。そして、前記λ／４位相差板（１ｂ）の遅相軸と直線偏光板（１ａ）の透過軸とが４５°±１°の角度範囲で交差するように配置されている。
【００３２】
この第２の実施の形態における作用機構について説明する。まず、反射面（５）での光反射率が１００％とすると、図８（イ）に示すように、外部光は、直線偏光板（１ａ）によって５０％が直線偏光となって透過し、該直線偏光はλ／４位相差板（１ｂ）を通過して右円偏光となり、該右円偏光は更に円偏光分離板（１ｃ）をそのまま透過する。次いで、該右円偏光は反射面（５）でその全量が反射されて左円偏光（５０％）となり、該左円偏光は円偏光分離板（１ｃ）によってそのまま左円偏光（５０％）として反射され、該左円偏光は更に反射面（６）でその全量が反射されて右円偏光（５０％）となる。該右円偏光は円偏光分離板（４）をそのまま透過し、λ／４位相差板（２０）を通過して直線偏光板（２）の透過軸と平行な直線偏光（５０％）となり、直線偏光板（２）をそのまま透過し、最終的には入射光のうち５０％が前面側に透過することとなる。即ち、外部光の反射率は５０％と視認される。
【００３３】
一方、発光層（４）からの発光光は、図８（ロ）に示すように、円偏光分離板（１ｃ）によってその一部（５０％）が左円偏光として反射され、残り５０％が右円偏光となって透過し、該右円偏光はλ／４位相差板（１ｂ）を通過して直線偏光板（１ａ）の透過軸と平行な直線偏光（５０％）となり、直線偏光板（１ａ）をそのまま透過する。該円偏光分離板（１ｃ）で反射された左円偏光は、反射面（５）でその全量が反射されて右円偏光（５０％）となる。該右円偏光は円偏光分離板（１ｃ）をそのまま透過し、λ／４位相差板（１ｂ）を通過して直線偏光板（１ａ）の透過軸と平行な直線偏光（５０％）となり、直線偏光板（１ａ）をそのまま透過する。即ち、反射を経て透過してきた５０％の透過光と、最初に何ら反射されることなくそのまま透過した５０％透過光とを併せて、発光層（４）からの発光光は結果的には１００％が出射面側に透過することとなる。
【００３４】
このように、金属反射面（５）での光反射率が１００％とした場合には、理論的には、発光層（４）からの発光光は１００％透過し、一方、外部光の反射面における反射光についてはその５０％が反射されたと視認される。反射光を５０％に抑制しつつ表示光を１００％透過させ得るので、高いコントラストの表示を実現することができると共に、十分な表示輝度を確保できて明るい表示を実現できる。
【００３５】
さらに、本発明のフレキシブルディスプレイは、発光層に印加する電圧が従来と同一であっても、より見やすい表示が可能となることから、視認性を従来のフレキシブルディスプレイより低下させることなく、印加電圧を低く設定することも可能であり、この場合にはフレキシブルディスプレイの発光寿命を延ばすことも可能である。
【００３６】
本発明のフレキシブルディスプレイの構成としては、図１および図２に示した出射面側から前面板、フィルム基板、透明電極、発光層、反射面の順に配置する構成とすることができる。また、図３および図５に示したように、出射面側からフィルム基板、前面板、透明電極、発光層、反射面の順に配置する構成とすることもできる。また、図４および図６に示したように、出射面側から前面板、透明電極、発光層、反射面の順に配置する構成とすることもできる。そして、図１、図３および図４は前面板が、直線偏光板およびλ／４位相差板とからなり、出射面側から直線偏光板、λ／４位相差板の順に配置されてなる場合を示し、図２、図５および図６は前面板が、直線偏光板、λ／４位相差板および円偏光分離板からなり、出射面側から直線偏光板、λ／４位相差板、円偏光分離板の順に配置されてなる場合を示す。
【００３７】
なお、例えば耐擦傷性向上、表面反射の防止等を目的として、本発明の効果を阻害しない範囲であれば、直線偏光板（１ａ）の前面側にハードコート層、反射防止層を設置する構成を採用することもできる。あるいは、外部の風景の写り込みを防止するために、ノングレア面（凹凸があり光を拡散反射する面）を有する層を設置することもできる。また、この発明の効果を阻害しない範囲であれば、背面電極、発光層、円偏光分離板、λ／４位相差板、直線偏光板等の間に、他の層を設置することもできる。
【００３８】
なお、図７および図８において、引き出し線の付いていない数字は、各段階での初期光量に対する光量を％単位で表示したものであり、また「＊」は自然光または偏光が解消された光を示し、直線矢印は直線偏光を示し、また円弧状矢印は円偏光を示す。
【００３９】
【実施例】
以下、本発明の実施例を示すが、本発明はこれに限定されるものではない。ここで、数平均分子量としては、クロロホルムを溶媒として、ゲルパーミエーションクロマトグラフィー（ＧＰＣ）によりポリスチレン換算の数平均分子量を求めることができる。
【００４０】
実施例１
＜高分子蛍光体の合成＞
発光層に用いる高分子蛍光体は、次のようにして製造することができる。
２，５−ジオクチルオキシ−ｐ−キシリレンジブロミドをＮ，Ｎ−ジメチルホルムアミド溶媒中、トリフェニルホスフィンと反応させてホスホニウム塩を合成する。得られたホスホニウム塩４７．７５重量部、及びテレフタルアルデヒド６．７重量部を、エチルアルコールに溶解させる。５．８重量部のリチウムエトキシドを含むエチルアルコール溶液をホスホニウム塩とジアルデヒドのエチルアルコール溶液に滴下し、室温で３時間重合させる。一夜室温で放置した後、沈殿を濾別し、エチルアルコールで洗浄後、クロロホルムに溶解し、これにエタノールを加えると沈澱が生成する。これを減圧乾燥すれば、８重量部程度の重合体が得られる。これを高分子蛍光体１とする。モノマーの仕込み比から計算される高分子蛍光体１の繰り返し単位とそのモル比を下記に示す。
2004361774.tif 000003
（モル比＝５０：５０。二つの繰り返し単位は交互に結合している。）
該高分子蛍光体１のポリスチレン換算の数平均分子量は、１．０×１０４程度となる。
【００４１】
＜フレキシブルディスプレイの作製と評価＞
フレキシブルディスプレイは次のようにして製造することができる。
スパッタリングによって４０ｎｍの厚みのＩＴＯ（透明電極）を付けたＰＥＳ製フィルム基板を、５ｃｍ×５ｃｍ角に切り出し、洗浄、乾燥の後、該フィルム基板上にポリビニールカルバゾールの１．０重量％クロロホルム溶液を用いて、ディッピングにより５０ｎｍの厚みでポリビニールカルバゾール層を成膜する（正孔輸送層）。さらにその上に、高分子蛍光体１の１重量％トルエン溶液を用いて、スピンコートにより５０ｎｍの厚みで高分子蛍光体１の層を成膜する。さらに、これを減圧下１５０℃で１時間程度乾燥した後、電子輸送層として、トリス（８−キノリノール）アルミニウム（Ａｌｑ３）を０．１〜０．２ｎｍ／ｓの速度で３５ｎｍ蒸着する。その上に背面電極としてリチウム−アルミニウム合金（リチウム濃度：１重量％）を４０ｎｍ蒸着して背面電極とし、ＵＶ硬化型の封止剤を用いてＰＥＳ製フィルムを硬化封止し、高分子蛍光体を用いてなる発光層を有したフィルム基板を得ることができる。蒸着のときの真空度はすべて８×１０−６Ｔｏｒｒ以下がよい。この発光層を有したフィルム基板の基板側に、直線偏光板（住友化学工業（株）製、ＳＲＷ０６２ＡＰ、厚み１００μｍ）およびλ／４位相差板（住友化学工業（株）製、ＳＥＦ４４０１３８Ｔ、厚み４０μｍ）をアクリル系粘着材を用いて貼合する。直線偏光板とλ／４位相差板を貼合してなる前面板の厚みは１５０μｍとなる。こうして作製することができたフレキシブルディスプレイに、１２．５Ｖを印加すると、電流密度７５．６ｍＡ／ｃｍ２程度の電流が流れ、垂直方向での輝度は２０００ｃｄ／ｍ２程度と高く、外部光の金属反射面での反射も少なく、可撓性も有しているフレキシブルディスプレイとなる。
【００４２】
【発明の効果】
本発明のフレキシブルディスプレイは、高いコントラストで表示することができ、輝度が高く、しかも高い可撓性を有したフレキシブルディスプレイであるので、工業的に極めて有用である。
【図面の簡単な説明】
【図１】出射面側から前面板、フィルム基板、透明電極、発光層、反射面の順に配置する構成とし、前面板が直線偏光板とλ／４位相差板からなる本発明のフレキシブルディスプレイの断面図。
【図２】出射面側から前面板、フィルム基板、透明電極、発光層、反射面の順に配置する構成とし、前面板が直線偏光板とλ／４位相差板と円偏光分離板とからなる本発明のフレキシブルディスプレイの断面図。
【図３】出射面側からフィルム基板、前面板、透明電極、発光層、反射面の順に配置する構成とし、前面板が直線偏光板とλ／４位相差板からなる本発明のフレキシブルディスプレイの断面図。
【図４】出射面側から前面板、透明電極、発光層、反射面の順に配置する構成とし、前面板が直線偏光板とλ／４位相差板からなる本発明のフレキシブルディスプレイの断面図。
【図５】出射面側からフィルム基板、前面板、透明電極、発光層、反射面の順に配置する構成とし、前面板が直線偏光板とλ／４位相差板と円偏光分離板とからなる本発明のフレキシブルディスプレイの断面図。
【図６】出射面側から前面板、透明電極、発光層、反射面の順に配置する構成とし、前面板が直線偏光板とλ／４位相差板と円偏光分離板とからなる本発明のフレキシブルディスプレイの断面図。
【図７】図１のフレキシブルディスプレイの作用機構の説明図。
【図８】図２のフレキシブルディスプレイの作用機構の説明図。
【符号の説明】
（１）…前面板
（１ａ）…直線偏光板
（１ｂ）…λ／４位相差板
（１ｃ）…円偏光分離板
（２）…フィルム基板
（３）…透明電極
（４）…発光層
（５）…反射面を有する背面電極
（６）…円偏光
（７）…直線偏光
【図１】
2004361774.tif 000004
【図２】
2004361774.tif 000005
【図３】
2004361774.tif 000006
【図４】
2004361774.tif 000007
【図５】
2004361774.tif 000008
【図６】
2004361774.tif 000009
【図７】
2004361774.tif 000010
【図８】
2004361774.tif 000011